(57)【要約】【課題】切断時に、折り返し部を作ることにより、粘着テープの粘着面に指紋などの汚れがつくことなく、確実に粘着テープを切断できるとともに、一旦貼った粘着テープをはがしやすくした粘着テープのカッター装置を提供する。【解決手段】この発明にかかる粘着テープのカッター装置は、粘着テープを切断するための刃体２６と、粘着テープ１４の粘着剤層に接し仮着するためのテープ仮着体２８と、刃体２６またはそれの近傍及びテープ仮着体２８に仮着され、その間に架け渡された粘着テープを撓め、湾曲させるためのテープ折り返し機構３０を備え、テープ折り返し機構３０は、刃体２６側のテープ仮着部位をテープ仮着体２８側に向けて接近させるとともに、テープ仮着体２８の回転機構５２によって、回転機構に仮着された粘着テープの回転機構の近傍を粘着剤層とは反対側に向けて立ち上げるように構成されている。【選択図】図１
2009107839.tif 000002
【特許請求の範囲】
【請求項１】
粘着テープをその長手方向に引き出し、切断するための粘着テープのカッター装置であって、
引き出された粘着テープを切断するための刃体と、
前記刃体より、粘着テープの源流側に設けられ、粘着テープの粘着剤層に接し仮着するためのテープ仮着体と、
刃体またはそれの近傍及びテープ仮着体に仮着され、前記刃体またはそれの近傍と前記テープ仮着体との間に架け渡された粘着テープを撓め、粘着剤層とは反対側に向けて湾曲させるためのテープ折り返し機構を備え、
テープ折り返し機構は、刃体側のテープ仮着部位をテープ仮着体側に向けて接近させるとともに、テープ仮着体の回転機構によって、回転機構に仮着された粘着テープの回転機構の近傍を粘着剤層とは反対側に向けて立ち上げるように構成された、粘着テープのカッター装置。
【請求項２】
テープ折り返し機構は、
刃体の押圧刃体取付片が、引き出された粘着テープの粘着剤層側において、粘着テープの長手方向に沿って、揺動自在に固定させる回転軸と、前記回転軸に連設されたプーリーとを備え、
前記テープ仮着体が、回転自在に回転された回転軸と、前記回転軸に連設されたプーリーとを備え、
前記刃体のプーリーと前記テープ仮着体のプーリーとの間に、張設されたベルトを有し、
刃体をテープ仮着体に向けて接近させるために揺動させたときに、回転する刃体の回転軸に連動して、ベルト及びプーリーを介して、テープ仮着体の仮着回転体がテープの源流側に回転し、粘着テープを粘着剤層とは反対側に向けて立ち上げるように形成された、請求項１に記載の粘着テープのカッター装置。
【請求項３】
テープ折り返し機構は、
刃体の押圧刃体取付片が、引き出された粘着テープの粘着剤層側において、回転軸にて粘着テープの引き出し方向に沿って、揺動自在に固定され、
前記押圧刃体取付片からのびて形成され、前記押圧刃体取付片を押すことによって揺動する揺動片と、
前記テープ仮着体の仮着回転体に固着され、前記仮着回転体とともに回動する回動片と、及び一端部が前記揺動片に連設され、他端部が前記回動片に連設される連接部材を含み、
前記押圧刃体取付片を押すことによって、前記揺動片、前記連接部材および回動片を介して、テープ仮着体の仮着回転体が、粘着テープの源流側に回転し、粘着テープを粘着剤層とは反対側に向けて立ち上げるように形成された、請求項１に記載の粘着テープのカッター装置。
【請求項４】
テープ折り返し機構は、
刃体の押圧刃体取付片が、引き出された粘着テープの粘着剤層側において、回転軸にて粘着テープの引き出し方向に沿って、揺動自在に固定され、
前記テープ仮着体の仮着回転体に固着され、前記仮着回転体とともに回動する回動片と、
前記押圧刃体取付片からのびて形成され、前記押圧刃体取付片を押すことによって前記回動片を回動する連接部材とを含み、
前記押圧刃体取付片を押すことによって、前記連接部材および回動片を介して、テープ仮着体の仮着回転体が、粘着テープの源流側に回転し、粘着テープを粘着剤層とは反対側に向けて立ち上げるように形成された、請求項１に記載の粘着テープのカッター装置。
【請求項５】
更に、円環状に巻き重ねられた粘着テープを回転自在に保持するためのテープ回転支持機構を備え、
前記テープ回転支持機構は、粘着テープに装填されるテープ保持体と、
前記テープ保持体を回転自在に保持する回転支持部とを有し、
前記テープ保持体及び回転支持部のうち、少なくともいずれかに設けられた磁石部により、粘着テープを回転自在に保持するように形成された、請求項１ないし４のいずれかに記載の粘着テープのカッター装置。
【発明の詳細な説明】
【技術分野】
【０００１】
この発明は、粘着テープのカッター装置に関する。
【背景技術】
【０００２】
従来、粘着テープのカッターを備えたテープホルダーは、円環形に巻き重ねられた粘着テープの内側に回転枠を嵌合し、この回転枠をベースの後部に回動自在に支持している。一方ベースの上部前方には粘着テープの引出し端を切断する刃及び切断された後の粘着テープの先端を仮着する仮着面を有した切断部を形成している。
更に、切断時に折り返し部を作ることによりテープの粘着面に指紋などの汚れがつくことなく粘着テープを切断できるとともに、いったん貼った粘着テープを剥がしやすくした粘着テープのカッター装置を提案されている。
【０００３】
【特許文献１】特開２００３−７３０１９
【発明の開示】
【発明が解決しようとする課題】
【０００４】
従来の粘着テープのカッターの装置において、切断時に折り返し部を作るために、刃体を粘着テープを仮着する仮着面を有した仮着面に対して、身体自在に設け、刃体と仮着面との間に、粘着テープの仮止め部を設け、刃体を仮着面に近づけ粘着テープを持ち上がらせようとしたとき、粘着テープは、その重みにより垂れ下がり目的通り粘着テープが上方に湾曲して持ち上がることができない。
【０００５】
それゆえに、この発明の主たる目的は、切断時に、折り返し部を作ることにより、粘着テープの粘着面に指紋などの汚れがつくことなく、確実に粘着テープを切断できるとともに、一旦貼った粘着テープをはがしやすくした粘着テープのカッター装置を提供することである。
【課題を解決するための手段】
【０００６】
この発明にかかる粘着テープのカッター装置は、粘着テープをその長手方向に引き出し、切断するための粘着テープのカッター装置であって、引き出された粘着テープを切断するための刃体と、前記刃体より、粘着テープの源流側に設けられ、粘着テープの粘着剤層に接し仮着するためのテープ仮着体と、刃体またはそれの近傍及びテープ仮着体に仮着され、前記刃体またはそれの近傍と前記テープ仮着体との間に架け渡された粘着テープを撓め、粘着剤層とは反対側に向けて湾曲させるためのテープ折り返し機構を備え、テープ折り返し機構は、刃体側のテープ仮着部位をテープ仮着体側に向けて接近させるとともに、テープ仮着体の回転機構によって、回転機構に仮着された粘着テープの回転機構の近傍を粘着剤層とは反対側に向けて立ち上げるように構成された、粘着テープのカッター装置である。
この発明の請求項２にかかる粘着テープのカッター装置においては、テープ折り返し機構は、刃体の押圧刃体取付片が、引き出された粘着テープの粘着剤層側において、粘着テープの長手方向に沿って、揺動自在に固定させる回転軸と、前記回転軸に連設されたプーリーとを備え、前記テープ仮着体が、回転自在に回転された回転軸と、前記回転軸に連設されたプーリーとを備え、前記刃体のプーリーと前記テープ仮着体のプーリーとの間に、張設されたベルトを有し、刃体をテープ仮着体に向けて接近させるために揺動させたときに、回転する刃体の回転軸に連動して、ベルト及びプーリーを介して、テープ仮着体の仮着回転体がテープの源流側に回転し、粘着テープを粘着剤層とは反対側に向けて立ち上げるように形成された、請求項１に記載の粘着テープのカッター装置である。
この発明の請求項３にかかる粘着テープのカッター装置においては、テープ折り返し機構は、刃体の押圧刃体取付片が、引き出された粘着テープの粘着剤層側において、回転軸にて粘着テープの引き出し方向に沿って、揺動自在に固定され、前記押圧刃体取付片からのびて形成され、前記押圧刃体取付片を押すことによって揺動する揺動片と、前記テープ仮着体の仮着回転体に固着され、前記仮着回転体とともに回動する回動片と、及び一端部が前記揺動片に連設され、他端部が前記回動片に連設される連接部材を含み、前記押圧刃体取付片を押すことによって、前記揺動片、前記連接部材および回動片を介して、テープ仮着体の仮着回転体が、粘着テープの源流側に回転し、粘着テープを粘着剤層とは反対側に向けて立ち上げるように形成された、請求項１に記載の粘着テープのカッター装置である。
この発明の請求項４にかかる粘着テープのカッター装置においては、テープ折り返し機構は、刃体の押圧刃体取付片が、引き出された粘着テープの粘着剤層側において、回転軸にて粘着テープの引き出し方向に沿って、揺動自在に固定され、前記テープ仮着体の仮着回転体に固着され、前記仮着回転体とともに回動する回動片と、前記押圧刃体取付片からのびて形成され、前記押圧刃体取付片を押すことによって前記回動片を回動する連接部材とを含み、前記押圧刃体取付片を押すことによって、前記連接部材および回動片を介して、テープ仮着体の仮着回転体が、粘着テープの源流側に回転し、粘着テープを粘着剤層とは反対側に向けて立ち上げるように形成された、請求項１に記載の粘着テープのカッター装置。
この発明の請求項５にかかる粘着テープのカッター装置においては、更に、円環状に巻き重ねられた粘着テープを回転自在に保持するためのテープ回転支持機構を備え、前記テープ回転支持機構は、粘着テープに装填されるテープ保持体と、前記テープ保持体を回転自在に保持する回転支持部とを有し、前記テープ保持体及び回転支持部のうち、少なくともいずれかに設けられた磁石部により、粘着テープを回転自在に保持するように形成された、請求項１ないし４のいずれかに記載の粘着テープのカッター装置。
【発明の効果】
【０００７】
この発明によれば、粘着テープをその長手方向に引き出し、切断するための粘着テープのカッター装置であって、引き出された粘着テープを切断するための刃体と、前記刃体より、粘着テープの源流側に設けられ、粘着テープの粘着剤層に接し仮着するためのテープ仮着体と、刃体またはそれの近傍及びテープ仮着体に仮着され、前記刃体またはそれの近傍と前記テープ仮着体との間に架け渡された粘着テープを撓め、粘着剤層とは反対側に向けて湾曲させるためのテープ折り返し機構を備え、テープ折り返し機構は、刃体側のテープ仮着部位をテープ仮着体側に向けて接近させるとともに、テープ仮着体の回転機構によって、回転機構に仮着された粘着テープの回転機構の近傍を粘着剤層とは反対側に向けて立ち上げるように構成されているので、切断時に、折り返し部を作ることにより、粘着テープの粘着面に指紋などの汚れがつくことなく、確実に粘着テープを切断できるとともに、一旦貼った粘着テープをはがしやすくした粘着テープのカッター装置を提供することができる。
請求項２の発明によれば、テープ折り返し機構は、刃体の押圧刃体取付片が、引き出された粘着テープの粘着剤層側において、粘着テープの長手方向に沿って、揺動自在に固定させる回転軸と、前記回転軸に連設されたプーリーとを備え、前記テープ仮着体が、回転自在に回転された回転軸と、前記回転軸に連設されたプーリーとを備え、前記刃体のプーリーと前記テープ仮着体のプーリーとの間に、張設されたベルトを有し、刃体をテープ仮着体に向けて接近させるために揺動させたときに、回転する刃体の回転軸に連動して、ベルト及びプーリーを介して、テープ仮着体の仮着回転体がテープの源流側に回転し、粘着テープを粘着剤層とは反対側に向けて立ち上げるように形成されているので、刃体又はそれの近傍をテープ仮着体側に押圧したときに、初期的に粘着テープが立ち上がり、それにつれて粘着テープが湾曲して折り返し部を作ることができる。
請求項３の発明によれば、テープ折り返し機構は、刃体の押圧刃体取付片が、引き出された粘着テープの粘着剤層側において、回転軸にて粘着テープの引き出し方向に沿って、揺動自在に固定され、前記押圧刃体取付片からのびて形成され、前記押圧刃体取付片を押すことによって揺動する揺動片と、前記テープ仮着体の仮着回転体に固着され、前記仮着回転体とともに回動する回動片と、及び一端部が前記揺動片に連設され、他端部が前記回動片に連設される連接部材を含み、
前記押圧刃体取付片を押すことによって、前記揺動片、前記連接部材および回動片を介して、テープ仮着体の仮着回転体が、粘着テープの源流側に回転し、粘着テープを粘着剤層とは反対側に向けて立ち上げるように形成されているので、刃体又はそれの近傍をテープ仮着体側に押圧したときに、初期的に粘着テープが立ち上がり、それにつれて粘着テープが湾曲して折り返し部を作ることができる。
請求項４の発明によれば、テープ折り返し機構は、刃体の押圧刃体取付片が、引き出された粘着テープの粘着剤層側において、回転軸にて粘着テープの引き出し方向に沿って、揺動自在に固定され、前記テープ仮着体の仮着回転体に固着され、前記仮着回転体とともに回動する回動片と、前記押圧刃体取付片からのびて形成され、前記押圧刃体取付片を押すことによって前記回動片を回動する連接部材とを含み、前記押圧刃体取付片を押すことによって、前記連接部材および回動片を介して、テープ仮着体の仮着回転体が、粘着テープの源流側に回転し、粘着テープを粘着剤層とは反対側に向けて立ち上げるように形成されているので、刃体をテープ仮着体側に押圧したときに、初期的に粘着テープが立ち上がり、それにつれて粘着テープが湾曲して折り返し部を作ることができる。
請求項５の発明によれば、更に、円環状に巻き重ねられた粘着テープを回転自在に保持するためのテープ回転支持機構を備え、前記テープ回転支持機構は、粘着テープに装填されるテープ保持体と、前記テープ保持体を回転自在に保持する回転支持部とを有し、前記テープ保持体及び回転支持部のうち、少なくともいずれかに設けられた磁石部により、粘着テープを回転自在に保持するように形成されているので、粘着テープを本カッター装置に容易に装填でき、粘着テープの取り替えも簡単に行うことができる。
【０００８】
この発明の上述の目的、その他の目的、特徴及び利点は、図を参照して行う以下の発明を実施するための最良の形態の説明から一層明らかとなろう。
【発明を実施するための最良の形態】
【０００９】
図１は、 この発明の一実施形態である粘着テープのカッター装置を示す斜視図解図である。図２は、図１図示粘着テープのカッター装置の分解斜視図解図であり、図３は、 図１図示粘着テープのカッター装置の発明の要部構造を示す斜視図解図である。図４は、図１図示粘着テープのカッター装置の作用を示す図解図であり、（Ａ）は正面図解図であり、（Ｂ）は縦断面図解図である。図５は、図１図示粘着テープのカッター装置の作用を示す図解図であり、（Ａ）は正面図解図であり、（Ｂ）は縦断面図解図である。図６は、図１図示粘着テープのカッター装置の作用を示す図解図であり、（Ａ）は正面図解図であり、（Ｂ）は縦断面図解図である。
【００１０】
この発明に係る粘着テープのカッター装置１０は、物の上面等に載置するためのベース部を有するカッター装置本体１２に、円環状に捲かれた帯状の粘着テープ１４を回動自在に保持するためのテープ回転支持機構１６を備える。
粘着テープ１４は、粘着剤層１４ａが支持体１４ｂの裏面に形成されている。
【００１１】
前記テープ回転支持機構１６は、円筒形に巻き重ねられた粘着テープ１４の内環部材内に装填されるテープ保持体１８と、前記テープ保持体１８を回転自在に保持する回転支持部２０とを備える。
そして、前記テープ保持体１８を回転自在に保持する回転支持部２０は、カッター装置本体１２の後端に設けられている。
【００１２】
テープ保持体１８は、円板状であり、その回転の中心に円柱状の磁石部２２を備え、テープ保持体１８の磁石部２２は、回転支持部２０の埋め込まれた円柱状の磁石部２４に回動自在に吸引保持され、磁石部２２を中心にして回動するように構成されている。
【００１３】
この粘着テープのカッター装置１０において、テープ回転支持機構１６は、カッター装置本体１２の後端に設けられており、カッター装置本体１２の後端に設けられたテープ回転支持機構１６を源流側として、粘着テープ１４は、回転しながらカッター装置本体１２前端側に引き出される。
そして、カッター装置本体１２は、引き出された粘着テープ１４を切断するための刃体２６を備える。
更に、前記刃体２６より、粘着テープ１４の源流側、すなわちテープ回転支持機構１６側に設けられ、粘着テープ１４の粘着剤層１４ａに接し、粘着テープ１４を仮着するためのテープ仮着体２８を備える。
刃体２６とテープ仮着体２８とは、テープ回転支持機構１６に装填された粘着テープ１４の巻き重ね体より引き出された粘着テープ１４の引き出し経路に沿って並置されている。
【００１４】
粘着テープのカッター装置１０は、前記刃体２６またはそれの近傍とテープ仮着体２８との間に架け渡され、刃体２６またはそれの近傍及びテープ仮着体２８に仮着された粘着テープ１４を撓め、粘着剤層１４ａとは反対側に向けて粘着テープ１４を湾曲させるために、刃体２６側のテープ仮着部位を粘着テープ仮着体２８側に向けて接近させるとともに、テープ仮着体２８の回転機構によって、回転機構に仮着された粘着テープ１４の回転機構の近傍を粘着剤層１４ａとは反対側に向けて立ち上げるように構成された、粘着テープ折り返し機構３０を備える。
【００１５】
粘着テープ折り返し機構３０を構成する刃体２６は、粘着テープ１４を切断するための刃の取り付け体たる押圧刃体取付片３２と、前記押圧刃体取付片３２の上部に、粘着テープ１４を切断するための鋸刃状のような三角刃部３４と、三角刃部３４のテープ仮着体２８側に三角刃部３４で切断されたときに粘着テープ１４を仮着するためのテープ仮着部３６とを備える。
【００１６】
三角刃部３４は、テープ仮着体２８とは反体側に向いて、カッター装置本体１２の幅方向に連続して設けられ、また、押圧刃体取付片３２は、その下端において、カッター装置本体１２に回転自在に固定されるとともに、三角刃部３４を斜め外側下方に配置するように、三角刃部３４が粘着テープ１４の下流側に向けて斜めに配置されている。
【００１７】
押圧刃体取付片３２は、回転軸３８に巻装されたバネ４０により、常時はテープ仮着体２８とは離れる方向に付勢され、カッター装置本体１２の前端において幅方向に設けられた抑止壁７６によって固定され、テープ仮着体２８との間の仰角を略３０度以上となるように構成されている。
【００１８】
押圧刃体取付片３２は、回転軸３８によりカッター装置本体１２に、支持部７２と支持部７４との下方の間において回転自在に取り付けられ、回転軸３８は、支持部７２の外側に突出しており、その突出したその一端にプーリー４２が固定されている。
【００１９】
刃体２６の押圧刃体取付片３２、三角刃部３４及び回転軸３８は、粘着テープ１４の引き出し径路（粘着テープ１４の両端縁）に沿って、それぞれ平行に並置され且つ粘着テープ１４の引き出し径路（粘着テープ１４の両端縁）と直交するように、カッター装置本体１２の幅方向に装填されている。
【００２０】
前記テープ仮着体２８は、回転機構を構成するために回転自在に固定された円柱状の仮着回転体５２と、前記カッター装置本体１２に連設された前記仮着回転体５２を支持する左右１対の支持部７２及び支持部７４と、前記支持部７２の外側において、前記仮着回転体５２に固定されたプーリー５８とを備える。
【００２１】
前記支持部７２と支持部７４とは、カッター装置本体１２の左右前端部において適宜な間隔をおいてカッター装置本体１２により上方に向けて突設され、その上端に仮着回転体５２が、回転自在に固定され、その下方において、その内側に前記押圧刃体取付片３２が、揺動自在に固定されている。
そして、回転軸３８と仮着回転体５２とは、粘着テープ１４の引き出し径路（粘着テープ１４の両端縁）に沿って、それぞれ平行に、適宜な間隔をおいて回転自在に固定され、且つ支持部７２の外側であって押圧刃体取付片３２の回転軸３８の外側において、プーリー４２が固定されるとともに、支持部７２の上端部の外側において、支持部７２の外側に突出した仮着回転体５２の端部にプーリー５８が固定され、プーリー４２とプーリー５８との間にベルト６０が張設されている。
そして、刃体２６のプーリー４２とテープ仮着体２８のプーリー５８との間に、ベルト６０が張設され、ベルト６０は、刃体２６の原動体たるプーリー４２の回転を仮着体２８の従動体たるプーリー５８に同一方向の回転を伝道する。
【００２２】
この実施の形態においては、回転軸３８及び仮着回転体５２は、カッター装置本体１２及び支持部７２に穿設された貫通孔に貫挿され、カッター装置本体１２及び支持部７２より外側に突出した回転軸３８にプーリー４２を仮着回転体５２にプーリー５８を固定して、プーリー４２とプーリー５８とは、垂直平面上に並置されている。
【００２３】
仮着回転体５２は、粘着テープ１４の引き出し径路（粘着テープ１４の両端縁）と直交するように、カッター装置本体１２の幅方向に装填されている。
【００２４】
この実施の形態においては、刃体２６の押圧刃体取付片３２の運動の伝達機構は、回転軸３８、プーリー４２、プーリー５８及びベルト６０によって構成されているが、その他の調帯による伝動機構をもって構成してもよい。
【００２５】
次に、この発明にかかる前記図１図示実施の形態の粘着テープのカッター装置１０の作用について、主として図４ないし図６に基づいて説明する。
当初は図４に示すように粘着テープ１４の引出し端１４Ａ側をテープ仮着体２８よりやや引出し、そして、引出し端１４Ａ側を摘んで引下げると、粘着テープ１４の所定箇所に刃体２６の三角刃部３４が押し当てられ、粘着テープ１４は刃体２６の三角刃部３４により切断される。
このとき、粘着テープ１４の途中は、テープ仮着体２８の仮着回転体５２の法線上及びその近傍、すなわち粘着テープ１４との接線に直交する直線上及びその近傍に止着されるとともに、図４に示すように粘着テープ１４の先端近傍が刃体２６の三角刃部３４の源流側にあるテープ仮着部３６に仮着されて、刃体２６とテープ仮着体２８との間に架け渡される。
【００２６】
引き続いて、粘着テープ１４を引出して切断しようとする際、図５及び図６に示すように、指で刃体２６の三角刃部３４側をバネ４０の弾性力に抗してテープ仮着体２８側に押し込むと、粘着テープ１４は、粘着テープ１４の刃体２６とテープ仮着体２８との架け渡された領域において、まずテープ仮着体２８の回転機構を構成する仮着回転体５２の近傍が粘着剤層１４ａとは反対側（上方）に向けて立ち上がり、上方へ湾曲して持ち上がりながら折り返し部１４Ｃを形成する。
【００２７】
この折り返し部１４Ｃを指で摘むことで、仮着回転体５２の近傍と先端１４Ｂとが接着して摘み用の折り返し部１４Ｃが形成され、粘着剤層１４ａが内側に配置されたこの折り返し部１４Ｃを指で摘んで指に粘着剤が付着することなく、再び図４のように粘着テープ１４を引出して切断することができる。
【００２８】
この発明は、前記実施の形態の粘着テープのカッター装置に限らず、この発明の思想に基づき変更することができる。
【００２９】
図９は、この発明の一実施の形態である粘着テープのカッター装置を示す斜視図解図である。図１０は、図９図示粘着テープのカッター装置の分解斜視図解図である。図１１は、図９図示粘着テープのカッター装置の発明の要部構造を示す斜視図解図である。図１２は、図９図示粘着テープのカッター装置の作用を示す正面図解図である。図１３は、図９図示粘着テープのカッター装置の作用を示す正面図解図である。図１４は、図９図示粘着テープのカッター装置の作用を示す正面図解図である。
【００３０】
図９に示すこの発明に係る粘着テープのカッター装置１１０は、物の上面等に載置するためのベース部を有するカッター装置本体１１２に、円環状に捲かれた帯状の粘着テープ１４を回動自在に保持するためのテープ回転支持機構１１６を備える。
粘着テープ１４は、粘着剤層１４ａが支持体１４ｂの裏面に形成されている。
【００３１】
前記テープ回転支持機構１１６は、円筒形に巻き重ねられた粘着テープ１４の内環部材内に装填されるテープ保持体１１８と、前記テープ保持体１１８を回転自在に保持する回転支持部１２０とを備える。
そして、前記テープ保持体１１８を回転自在に保持する回転支持部１２０は、カッター装置本体１１２の後端に設けられている。
【００３２】
テープ保持体１１８は、円板状であり、その回転の中心に円柱状の磁石部１２２を備え、テープ保持体１１８の磁石部１２２は、回転支持部１２０の埋め込まれた円柱状の磁石部１２４に回動自在に吸引保持され、磁石部１２２を中心にして回動するように構成されている。
【００３３】
この粘着テープのカッター装置１１０において、テープ回転支持機構１１６は、カッター装置本体１１２の後端に設けられており、カッター装置本体１１２の後端に設けられたテープ回転支持機構１１６を源流側として、粘着テープ１４は、回転しながらカッター装置本体１１２の前端側に引き出される。
そして、カッター装置本体１１２は、引き出された粘着テープ１４を切断するための刃体１２６を、その前端側に備える。
更に、前記刃体１２６より、粘着テープ１４の源流側、すなわちテープ回転支持機構１１６側に設けられ、粘着テープ１４の粘着剤層１４ａに接し、粘着テープ１４を仮着するためのテープ仮着体１２８を備える。
刃体１２６とテープ仮着体１２８とは、テープ回転支持機構１１６に装填された粘着テープ１４の巻き重ね体より引き出された粘着テープ１４の引き出し経路に沿って並置されている。
【００３４】
カッター装置１１０は、前記刃体１２６とテープ仮着体１２８との間に架け渡され、刃体１２６またはそれの近傍及びテープ仮着体１２８に仮着された粘着テープ１４を撓め、粘着剤層１４ａとは反対側に向けて粘着テープ１４を湾曲させるために、刃体１２６側のテープ仮着部位を粘着テープ仮着体１２８側に向けて接近させるとともに、テープ仮着体１２８において仮着された粘着テープ１４を粘着剤層１４ａとは反対側に向けて立ち上げるように構成された、粘着テープ折り返し機構１３０を備える。
【００３５】
粘着テープ折り返し機構１３０を構成する刃体１２６は、粘着テープ１４を切断するための刃の取り付けたる押圧刃体取付片１３２と、前記押圧刃体取付片１３２の上部に形成された、粘着テープ１４を切断するための鋸刃状のような三角刃部１３４と、三角刃部１３４のテープ仮着体１２８側に形成された、三角刃部１３４で切断されたときに粘着テープ１４を仮着するためのテープ仮着部１３６とを備える。
【００３６】
粘着テープ折り返し機構１３０を構成する刃体１２６は、押圧刃体取付片１３２が、引き出された粘着テープ１４の粘着剤層１４ａ側において、回転軸１３８にて粘着テープ１４の引き出し経路に沿って、カッター装置本体１１２の前端部に揺動自在に固定されている。この実施の形態においては、回転軸１３８は、カッター装置本体１１２の前端部の左右両側に穿設された貫通孔と、押圧刃体取付片１３２の下端で押圧刃体取付片１３２と揺動片１４２との接合部に穿設された貫通孔とに貫設されている。
【００３７】
押圧刃体取付片１３２は、回転軸１３８に巻装されたバネ１４０により、常時はテープ仮着体１２８とは離れる方向に付勢されている。そして、押圧刃体取付片１３２は、カッター装置本体１１２の前端において幅方向に設けられた抑止壁１７６によって固定され、テープ仮着体１２８の仮着回転体１５２と回転軸１３８とを結ぶ線（仮想線）との間の仰角を略３０度以上となるように構成されている。
【００３８】
三角刃部１３４は、テープ仮着体１２８とは反体側に向いて、カッター装置本体１１２の幅方向に連続して設けられ、また、押圧刃体取付片１３２は、その下端において、カッター装置本体１１２に回転自在に固定されるとともに、三角刃部１３４を斜め外側下方に配置するように、三角刃部１３４が粘着テープ１４の下流側に向けて斜めに配置されている。
【００３９】
刃体１２６の押圧刃体取付片１３２、三角刃部１３４及び回転軸１３８は、粘着テープ１４の引き出し径路（粘着テープ１４の両端縁）に沿って、それぞれ平行に並置され且つ粘着テープ１４の引き出し径路（粘着テープ１４の両端縁）と直交するように、カッター装置本体１１２の幅方向に装填されている。
【００４０】
更に、粘着テープ折り返し機構１３０は、回転機構を構成する、回転軸１３８からテープ仮着体１２８側にのびる揺動片１４２と、前記揺動片１４２に第１枢軸１４４を介して回転自在に連結されテープ仮着体１２８側に向けてのびる連接部材１４６と、前記連接部材１４６に第２枢軸１４８を介して回転自在に連結されテープ仮着体１２８側に向けてのびる回動片１５０とを備える。
【００４１】
揺動片１４２は、押圧刃体取付片１３２の下端において押圧刃体取付片１３２の一方端縁と連接され、揺動片１４２と押圧刃体取付片１３２とは、全体的に曲肘状に形成されている。
揺動片１４２は、押圧刃体取付片１３２との連接部とは反対側の先端部分が仮着回転体１５２の後ろ側にまで達する長さを備えた板状であり、その後ろ側の先端部分に、第１枢軸１４４によって連接部材１４６が回動自在に取り付けられている。
【００４２】
連接部材１４６は、下方にある揺動片１４２の低い位置から上方にある回動片１５０の高い位置にのびるように形成され、仮着回転体１５２より源流側たるテープ保持体１１８側に位置している。
【００４３】
前記回動片１５０は、第２枢軸１４８側とは反対側において、仮着回転体１５２の後ろ側からのびて、回転自在に固定されたテープ仮着体１２８の仮着回転体１５２に固定されている。
仮着回転体１５２は、支持部１７２と支持部１７４との間に架け渡された第３枢軸１５４に、その胴部に穿設された貫通孔１５２ａを貫挿して、支持部１７２と支持部１７４との間において回動自在に固定されている。
【００４４】
仮着回転体１５２は、粘着テープ１４の引き出し径路（粘着テープ１４の両端縁）と直交するように、カッター装置本体１１２の幅方向に装填され、刃体１２６の回転軸１３８と平行に並置されている。
【００４５】
この実施の形態においては、刃体１２６の押圧刃体取付片１３２の運動の伝達機構は、回転軸１３８と揺動片１４２とからなる曲肘、連接部材１４６及び回動片１５０によって構成されているが、その他のリンク機構をもって構成してもよい。
【００４６】
刃体１２６の押圧刃体取付片１３２をテープ仮着体１２８側に向けて揺動したときに、揺動片１４２の第１枢軸１４４側をテープ仮着体１２８より離れる方向に回転させて、連接部材１４６を介して回動片１５０をテープ仮着体１２８の仮着回転体１５２を中心にして回転させ、テープ仮着体１２８の仮着回転体１５２が、粘着テープ１４の源流側に回転し、粘着テープ１４を粘着剤層１４ａとは反対側に向けて立ち上げるように形成されている。
【００４７】
次に、この発明にかかる前記図９図示実施の形態の粘着テープのカッター装置１１０の作用について、主として図１２ないし図１４に基づいて説明する。
当初は図１２に示すように粘着テープ１４の引出し端１４Ａ側をテープ仮着体１２８よ
りやや引出し、そして、引出し端１４Ａ側を摘んで引下げると、粘着テープ１４の所定箇
所に刃体１２６の三角刃部１３４が押し当てられ、粘着テープ１４は刃体１２６の三角刃
部１３４により切断される。
このとき、粘着テープ１４の途中は、テープ仮着体１２８の仮着回転体１５２の法線上及びその近傍、すなわち粘着テープ１４との接線に直交する直線上及びその近傍に止着されるとともに、図１２に示すように粘着テープ１４の先端近傍が刃体１２６の三角刃部１３４の源流側にあるテープ仮着部１３６に仮着されて、刃体１２６とテープ仮着体１２８との間に架け渡される。
【００４８】
引き続いて、粘着テープ１４を引出して切断しようとする際、図１３及び図１４に示すように、指で刃体１２６の三角刃部１３４側をバネ１４０の弾性力に抗してテープ仮着体１２８側に押し込むと、揺動片１４２が回転軸を中心にして揺動し、揺動片１４２の先端部が下がる。
そして、それに伴って、連接部材１４６が引き下げられる。
そして、連接部材１４６の引き下げられることにより、回動片１５０の先端部が下げられ、回動片１５０が回動する。
そして、テープ仮着体１２８の回転機構を構成する回動片１５０とともに仮着回転体１５２が回転して、仮着回転体１５２に仮着されている粘着テープ１４の近傍が、引き出し経路から外れ、粘着テープの源流側に回転して、粘着テープの粘着剤層１４ａとは反対側に向けて立ち上げる。
【００４９】
この折り返し部１４Ｃを指で摘むことで、仮着回転体１５２の近傍と先端１４Ｂとが接着して摘み用の折り返し部１４Ｃが形成され、粘着剤層１４ａが内側に配置されたこの折り返し部１４Ｃを指で摘んで指に粘着剤が付着することなく、再び図１２のように粘着テープ１４を引出して切断することができる。
【００５０】
粘着テープのカッター装置１１０の粘着テープ折り返し機構１３０は、前記刃体１２６またはそれの近傍とテープ仮着体１２８との間に架け渡され、刃体１２６またはそれの近傍及びテープ仮着体１２８に仮着された粘着テープ１４を撓め、粘着剤層１４ａとは反対側に向けて粘着テープ１４を湾曲させるために、刃体１２６側のテープ仮着部位を粘着テープ仮着体１２８側に向けて接近させるとともに、テープ仮着体１２８の回転機構によって、回転機構に仮着された粘着テープ１４の回転機構の近傍を粘着剤層１４ａとは反対側に向けて立ち上げる。
【００５１】
図１７は、この発明の一実施の形態である粘着テープのカッター装置を示す斜視図解図である。図１８は、図１７図示粘着テープのカッター装置の分解斜視図解図である。図１９は、図１７図示粘着テープのカッター装置の発明の要部構造を示す斜視図解図である。図２０は、図１７図示粘着テープのカッター装置の作用を示す正断面図解図である。図２１は、図１７図示粘着テープのカッター装置の作用を示す正断面図解図である。図２２は、図１７図示粘着テープのカッター装置の作用を示す正断面図解図である。
【００５２】
図１７に示すこの発明に係る粘着テープのカッター装置２１０は、物の上面等に載置するためのベース部を有するカッター装置本体２１２に、円環状に捲かれた帯状の粘着テープ１４を回動自在に保持するためのテープ回転支持機構２１６を備える。
粘着テープ１４は、粘着剤層１４ａが支持体１４ｂの裏面に形成されている。
【００５３】
前記テープ回転支持機構２１６は、円筒形に巻き重ねられた粘着テープ１４の内環部材内に装填されるテープ保持体２１８と、前記テープ保持体２１８を回転自在に保持する回転支持部２２０とを備える。
そして、前記テープ保持体２１８を回転自在に保持する回転支持部２２０は、カッター装置本体２１２の後端に設けられている。
【００５４】
テープ保持体２１８は、円板状であり、その回転の中心に円柱状の磁石部２２２を備え、テープ保持体２１８の磁石部２２２は、回転支持部２２０の埋め込まれた円柱状の磁石部２２４に回動自在に吸引保持され、磁石部２２２を中心にして回動するように構成されている。
【００５５】
この粘着テープのカッター装置２１０において、テープ回転支持機構２１６は、カッター装置本体２１２の後端に設けられており、カッター装置本体２１２の後端に設けられたテープ回転支持機構２１６を源流側として、粘着テープ１４は、回転しながらカッター装置本体２１２の前端側に引き出される。
そして、カッター装置本体２１２は、引き出された粘着テープ１４を切断するための刃体２２６を、その前端側に備える。
更に、前記刃体２２６より、粘着テープ１４の源流側、すなわちテープ回転支持機構２１６側に設けられ、粘着テープ１４の粘着剤層１４ａに接し、粘着テープ１４を仮着するためのテープ仮着体２２８を備える。
刃体２２６とテープ仮着体２２８とは、テープ回転支持機構２１６に装填された粘着テープ１４の巻き重ね体より引き出された粘着テープ１４の引き出し経路に沿って並置されている。
【００５６】
カッター装置２１０は、前記刃体２２６とテープ仮着体２２８との間に架け渡され、刃体２２６またはそれの近傍及びテープ仮着体２２８に仮着された粘着テープ１４を撓め、粘着剤層１４ａとは反対側に向けて粘着テープ１４を湾曲させるために、刃体２２６側のテープ仮着部位を粘着テープ仮着体２２８側に向けて接近させるとともに、テープ仮着体２２８において仮着された粘着テープ１４を粘着剤層１４ａとは反対側に向けて立ち上げるように構成された、粘着テープ折り返し機構２３０を備える。
【００５７】
粘着テープ折り返し機構２３０を構成する刃体２２６は、粘着テープ１４を切断するための刃の取り付けたる押圧刃体取付片２３２と、前記押圧刃体取付片２３２の上部に形成された、粘着テープ１４を切断するための鋸刃状のような三角刃部２３４と、三角刃部２３４のテープ仮着体２２８側に形成された、三角刃部２３４で切断されたときに粘着テープ１４を仮着するためのテープ仮着部２３６とを備える。
【００５８】
粘着テープ折り返し機構２３０を構成する刃体２２６は、押圧刃体取付片２３２が、引き出された粘着テープ１４の粘着剤層１４ａ側において、その下端において回転軸２３８にて粘着テープ１４の引き出し経路に沿って、カッター装置本体２１２の前端部に揺動自在に固定されている。この実施の形態においては、回転軸２３８は、カッター装置本体２１２の前端部の左右両側の支持部２７２及び支持部２７４に穿設された貫通孔２７２ａ及び貫通孔２７４ａと、押圧刃体取付片２３２の下端で押圧刃体取付片２３２と支持部２７２及び支持部２７４との接合部に穿設された貫通孔２３２ａ，２３２ａとに貫設されている。
【００５９】
押圧刃体取付片２３２は、回転軸２３８に巻装されたバネ２４０により、常時はテープ仮着体２２８とは離れる方向に付勢されている。そして、押圧刃体取付片２３２は、カッター装置本体２１２の前端において幅方向に設けられた抑止壁２７６によって固定され、テープ仮着体２２８の仮着回転体２５２と回転軸２３８とを結ぶ線（仮想線）との間の仰角を鋭角となるように構成されている。この鋭角は、押圧刃体取付片２３２をテープ仮着体２２８側に向けて揺動できるために適する角度を採択される。
【００６０】
三角刃部２３４は、テープ仮着体２２８とは反体側に向いて、カッター装置本体２１２の幅方向に連続して設けられ、また、押圧刃体取付片２３２に、その上端において、テープ仮着部２３６とともに第１回転軸２４３及び第２回転軸２４４により回転自在に取り付けられている。そして、三角刃部２３４とテープ仮着部２３６とは、一体化されて、後述する揺動片１４２と連結されている。
三角刃部２３４を斜め外側下方に配置するように、三角刃部２３４は、粘着テープ１４の下流側に向けて斜めに配置されている。
【００６１】
三角刃部２３４は、三角刃部２３４を押圧刃体取付片２３２に回転自在に取り付けるための第１回転軸２４３及び第２回転軸２４４を幅方向における両端に備え、三角刃部２３４及びテープ仮着部２３６は、押圧刃体取付片２３２の上端において左右に分かれて突設された突部２３２ｂ及び２３２ｂに穿設された貫通孔２３２ｃ及び２３２ｃに、第１回転軸２４３及び第２回転軸２４４を貫装することにより回転自在に取り付けられている。
【００６２】
刃体２２６の押圧刃体取付片２３２、三角刃部２３４及び回転軸２３８は、粘着テープ１４の引き出し径路（粘着テープ１４の両端縁）に沿って、それぞれ平行に並置され且つ粘着テープ１４の引き出し径路（粘着テープ１４の両端縁）と直交するように、カッター装置本体２１２の幅方向に装填されている。
【００６３】
更に、粘着テープ折り返し機構２３０は、回転機構を構成する、第１回転軸２４３からテープ仮着体２２８側にのびる連接部材２４６と、前記連接部材２４６に第２枢軸２４８を介して回転自在に連結されテープ仮着体２２８側に向けてのびる回動片２５０とを備える。
【００６４】
連接部材２４６は、その後端において第２枢軸２４８によって回動自在に回動片２５０と連設され、その前端において回動自在に第１回転軸２４３に固定されており、連接部材２４６と回動片２５０とは、第２枢軸２４８側の連接部材２４６の後端と回動片２５０の前端とが、常時は、上方に向けて曲がり出るように連結されている。
連接部材２４６は、その後端側すなわち回動片２５０側を上方に向けてすなわち粘着テープ１４の引き出し経路とは離れる方向に向けて突き出され、且つ、回動片２５０は、その後端側すなわちテープ仮着体２２８側を、下方向に向けてすなわち粘着テープ１４の引き出し経路に近づく方向に向けて突き出されている。
【００６５】
前記回動片２５０は、第２枢軸２４８側とは反対側において、仮着回転体２５２の先端側からのびて、回転自在に固定されたテープ仮着体２２８の仮着回転体２５２に固定されている。
仮着回転体２５２は、支持部２７２の貫通孔２７２ｂと支持部２７４の貫通孔２７４ｂに貫設される支持部２７２と支持部２７４との間に架け渡された第３枢軸２５４に、その胴部に穿設された貫通孔２５２ａを貫挿して、支持部２７２と支持部２７４との間において回動自在に固定されている。
【００６６】
仮着回転体２５２は、粘着テープ１４の引き出し径路（粘着テープ１４の両端縁）と直交するように、カッター装置本体２１２の幅方向に装填され、刃体２２６の回転軸２３８と平行に並置されている。
【００６７】
この実施の形態においては、刃体２２６の押圧刃体取付片２３２の運動の伝達機構は、回転軸２３８、連接部材２４６及び回動片２５０によって構成されているが、その他の運動伝達機構をもって構成してもよい。
【００６８】
刃体２２６の押圧刃体取付片２３２をテープ仮着体２２８側に向けて揺動したときに、
押圧刃体取付片２３２の作動に伴って、連接部材２４６の後端側の第２枢軸２４８は、上方すなわち粘着テープ１４の引き出し経路とは離れる方向に向けて突き上げられ、回動片２５０は、テープ仮着体２２８の仮着回転体２５２を後端側に向けて回動させる。そして、回動片２５０をテープ仮着体２２８の仮着回転体２５２を中心にして回転させることにより、テープ仮着体２２８の仮着回転体２５２が、粘着テープ１４の源流側に回転し、粘着テープ１４を粘着剤層１４ａとは反対側に向けて立ち上げる。
【００６９】
粘着テープ１４の捲き重ね体からの剥離強さが比較的小さい剥離角度である約９０度にて、粘着テープ１４を引き出すための剥離角度調整体２９０が回転支持部２２０に形成されている。
剥離角度調整体２９０は、磁石部２２４より略同等の高さでテープ回転支持機構２１６とテープ仮着体２２８との間において、回転支持部２２０から突き出た棒状体であり、粘着テープ１４の引き出し経路上に設けられている。
テープ保持体２１８側より剥離角度を約９０度で引き出された粘着テープ１４は、粘着テープ１４の粘着剤層１４ａとは反対側すなわち支持体１４ｂの表面側を剥離角度調整体２９０の下面に接しながら、テープ仮着部２３６に至る。
【００７０】
次に、この発明にかかる前記図１７図示実施の形態の粘着テープのカッター装置２１０の作用について、主として図２０ないし図２２に基づいて説明する。
当初は図２０に示すように粘着テープ１４の引出し端１４Ａ側をテープ仮着体２２８よりやや引出し、そして、引出し端１４Ａ側を摘んで引下げると、粘着テープ１４の所定箇所に刃体２２６の三角刃部２３４が押し当てられ、粘着テープ１４は刃体２２６の三角刃部２３４により切断される。
このとき、粘着テープ１４の途中は、テープ仮着体２２８の仮着回転体２５２の仮着面上に止着されるとともに、図２０に示すように粘着テープ１４の先端近傍が刃体２２６の三角刃部２３４の源流側にあるテープ仮着部２３６に仮着されて、刃体１２６とテープ仮着体２２８との間に架け渡される。
【００７１】
引き続いて、粘着テープ１４を引出して切断しようとする際、図２１及び図２２に示すように、指で刃体２２６の三角刃部２３４側をバネ２４０の弾性力に抗してテープ仮着体２２８側に押し込むと、連接部材２４６が第２回転軸２４４を中心にして後端側を上方に向けて持ち上がり、回動片２５０の後端部が下がる。
そして、連接部材２４６の後端側が引き上げられることにより、回動片２５０の後端部が下げられ、仮着回転体２５２を回動させる。
そして、テープ仮着体２２８の回転機構を構成する回動片２５０とともに仮着回転体２５２が回転して、仮着回転体２５２に仮着されている粘着テープ１４の近傍が、引き出し経路から外れ、粘着テープの源流側に回転して、粘着テープの粘着剤層１４ａとは反対側に向けて立ち上げる。
【００７２】
この折り返し部１４Ｃを指で摘むことで、仮着回転体２５２の近傍と先端１４Ｂとが接着して摘み用の折り返し部１４Ｃが形成され、粘着剤層１４ａが内側に配置されたこの折り返し部１４Ｃを指で摘んで指に粘着剤が付着することなく、再び図２０のように粘着テープ１４を引出して切断することができる。
【００７３】
粘着テープのカッター装置２１０の粘着テープ折り返し機構２３０は、前記刃体２２６またはそれの近傍とテープ仮着体２２８との間に架け渡され、刃体２２６またはそれの近傍及びテープ仮着体２２８に仮着された粘着テープ１４を撓め、粘着剤層１４ａとは反対側に向けて粘着テープ１４を湾曲させるために、刃体２２６側のテープ仮着部位を粘着テープ仮着体２２８側に向けて接近させるとともに、テープ仮着体２２８の回転機構によって、回転機構に仮着された粘着テープ１４の回転機構の近傍を粘着剤層１４ａとは反対側に向けて立ち上げる。
【００７４】
その他、前記実施の形態においては、プーリー４２とプーリー５８との間にベルト６０を張設しているが、それに変えて、プーリー４２及びプーリー５８をギアに変え、両ギアの間に更にギアを噛み合わせて、原動軸たる回転軸３８の回転を従動軸たる仮着回転体５２に伝導してもよい。
【００７５】
また、前記実施の形態においては、テープ仮着体２８、１２８の仮着回転体５２、１５２は、円柱状又は円筒状に形成されているが、これに限定されるものではなく、例えば、仮着回転体５２、１５２は、粘着テープ１４の粘着剤層１４ａに仮着されるに適する構造として、断面三角形の角柱状体で構成し、比較的仮着面積の狭いその角部において、粘着テープ１４の引き出し径路（粘着テープ１４の両端縁）と直交する方向に粘着剤層１４ａと仮着するように構成してもよい。
【図面の簡単な説明】
【００７６】
【図１】この発明の一実施の形態である粘着テープのカッター装置を示す斜視図解図である。
【図２】図１図示粘着テープのカッター装置の分解斜視図解図である。
【図３】図１図示粘着テープのカッター装置の発明の要部構造を示す斜視図解図である。
【図４】図１図示粘着テープのカッター装置の作用を示す図解図であり、（Ａ）は正面図解図であり、（Ｂ）は縦断面図解図である。
【図５】図１図示粘着テープのカッター装置の作用を示す図解図であり、（Ａ）は正面図解図であり、（Ｂ）は縦断面図解図である。
【図６】図１図示粘着テープのカッター装置の作用を示す図解図であり、（Ａ）は正面図解図であり、（Ｂ）は縦断面図解図である。
【図７】回転機構の一部を断面とした平面図解図である。
【図８】回転機構におけるテープ保持体と回転支持部とを分離した状態を示す一部を断面とした平面図解図である。
【図９】この発明の一実施の形態である粘着テープのカッター装置を示す斜視図解図である。
【図１０】図９図示粘着テープのカッター装置の分解斜視図解図である。
【図１１】図９図示粘着テープのカッター装置の発明の要部構造を示す斜視図解図である。
【図１２】図９図示粘着テープのカッター装置の作用を示す正面図解図である。
【図１３】図９図示粘着テープのカッター装置の作用を示す正面図解図である。
【図１４】図９図示粘着テープのカッター装置の作用を示す正面図解図である。
【図１５】回転機構の一部を断面とした平面図解図である。
【図１６】回転機構におけるテープ保持体と回転支持部とを分離した状態を示す一部を断面とした平面図解図である。
【図１７】発明の一実施の形態である粘着テープのカッター装置を示す斜視図解図である。
【図１８】図１７図示粘着テープのカッター装置の分解斜視図解図である。
【図１９】図１７図示粘着テープのカッター装置の発明の要部構造を示す斜視図解図である。
【図２０】図１７図示粘着テープのカッター装置の作用を示す正断面図解図である。
【図２１】図１７図示粘着テープのカッター装置の作用を示す正断面図解図である。
【図２２】図１７図示粘着テープのカッター装置の作用を示す正断面図解図である。
【図２３】図１７図示粘着テープのカッター装置の発明の一部を断面とした側断面図解図である。
【図２４】回転機構の一部を断面とした平面図解図である。
【図２５】回転機構におけるテープ保持体と回転支持部とを分離した状態を示す一部を断面とした平面図解図である。
【符号の説明】
【００７７】
１０，１１０，２１０  粘着テープのカッター装置
１２，１１２，２１２  カッター装置本体
１４  粘着テープ
１４ａ  粘着剤層
１４ｂ  支持体
１４Ａ  粘着テープの引出し端
１４Ｂ  粘着テープの先端
１４Ｃ  折り返し部
１６，１１６，２１６  テープ回転支持機構
１８，１１８，２１８  テープ保持体
２０，１２０，２２０  回転支持部
２２，１２２，２２２  磁石部
２４，１２４，２２４  磁石部
２６，１２６，２２６  刃体
２８，１２８，２２８  テープ仮着体
３０，１３０，２３０  粘着テープ折り返し機構
３２，１３２，２３２  押圧刃体取付片
３４，１３４，２３４  三角刃部
３６，１３６，２３６  テープ仮着部
３８，１３８，２３８  回転軸
４０，１４０，２４０  バネ
４２  プーリー
５２，１５２，２５２  仮着回転体
７２，１７２，２７２  支持部
７４，１７４，２７４  支持部
７６，１７６，２７６  抑止壁
５８  プーリー
６０  ベルト
１４２  揺動片
１４４  第１枢軸
１４６，２４６  連接部材
１４８，２４８  第２枢軸
１５０，２５０  回動片
１５２ａ，２５２ａ  貫通孔
１５４，２５４  第３枢軸
２３２ａ，２３２ｃ  貫通孔
２３２ｂ  突部
２４３  第１回転軸
２４４  第２回転軸
２７２ａ，２７２ｂ  貫通孔
２７４ａ，２７４ｂ  貫通孔
２９０  剥離角度調整体
【図１】
2009107839.tif 000003
【図２】
2009107839.tif 000004
【図３】
2009107839.tif 000005
【図４】
2009107839.tif 000006
【図５】
2009107839.tif 000007
【図６】
2009107839.tif 000008
【図７】
2009107839.tif 000009
【図８】
2009107839.tif 000010
【図９】
2009107839.tif 000011
【図１０】
2009107839.tif 000012
【図１１】
2009107839.tif 000013
【図１２】
2009107839.tif 000014
【図１３】
2009107839.tif 000015
【図１４】
2009107839.tif 000016
【図１５】
2009107839.tif 000017
【図１６】
2009107839.tif 000018
【図１７】
2009107839.tif 000019
【図１８】
2009107839.tif 000020
【図１９】
2009107839.tif 000021
【図２０】
2009107839.tif 000022
【図２１】
2009107839.tif 000023
【図２２】
2009107839.tif 000024
【図２３】
2009107839.tif 000025
【図２４】
2009107839.tif 000026
【図２５】
2009107839.tif 000027